(57)【要約】      （修正有）【課題】不感知領域が無く、更には渡り配線が不要であり格別の電極板加工も必要無く、全体として簡略安価に構成でき、薄型化や折り畳み構造も実現できるような感圧式マットスイッチを提供する。【解決手段】感圧式マットスイッチ１は、マット状に形成した弾性絶縁材からなる上外被３及び下外被４を具備する外被体２と、上外被３の下面に添着したフィルム状上電極６と、下外被４の上面に添着したフィルム状下電極７と、上電極６、下電極７間全体に介在させた感圧導電ゴムからなる感圧導電体８とを具備し、外被体２に内装した面状スイッチ体５とを有し、全体として折り曲げ可能な構成としたものである。【選択図】図２
0003142417.tif 000002
【実用新案登録請求の範囲】
【請求項１】
マット状に形成した絶縁材からなる上外被及び下外被を具備する外被体と、
前記上外被の下面に添着した上電極と、前記下外被の上面に添着した下電極と、
前記上電極、下電極間全体に介在させた感圧導電体とを具備し、前記外被体に内装した面状スイッチ体と、
を有することを特徴とする感圧式マットスイッチ。
【請求項２】
マット状に形成した弾性絶縁材からなる上外被及び下外被を具備する外被体と、
前記上外被の下面に添着したフィルム状上電極と、
前記下外被の上面に添着したフィルム状下電極と、前記上電極、下電極間全体に介在させた感圧導電ゴムからなる感圧導電体とを具備し、前記外被体に内装した面状スイッチ体と、
を有し、
全体として折り曲げ可能としたことを特徴とする感圧式マットスイッチ。
【請求項３】
マット状に形成した絶縁材からなる上外被及び下外被を具備する外被体と、
前記上外被の下面に添着した導電性金属板からなる上電極と、
前記下外被の上面に添着した導電性金属板からなる下電極と、前記上電極、下電極間全体に介在させた感圧導電ゴムからなる感圧導電体とを具備し、前記外被体に内装した面状スイッチ体と、
を有することを特徴とする感圧式マットスイッチ。
【請求項４】
散在配置した複数個の環状の感圧導電体
マット状に形成した絶縁材からなる上外被及び下外被を具備する外被体と、
前記上外被の下面に添着した導電性金属板からなる上電極と、前記下外被の上面に添着した導電性金属板からなる下電極と、
前記上電極、下電極間に散在配置した感圧導電ゴムからなる複数個の環状の感圧導電体とを具備し、前記外被体に内装した面状スイッチ体と、
を有することを特徴とする感圧式マットスイッチ。
【考案の詳細な説明】
【技術分野】
【０００１】
本考案は、感圧式マットスイッチに関し、詳しくは、床や壁等に設置され監視対象建物等に対する不審者の侵入検知等を行う感圧式マットスイッチに関するものである。
【背景技術】
【０００２】
例えば、監視対象建物等に対する不審者の侵入検知や、作業機械の座席における作業者の在席検知等の目的で従来から種々のマットスイッチが使用されている。
【０００３】
このようなマットスイッチの従来例を以下に概説する。
【０００４】
図８に示すマットスイッチ４０は、例えば四角形のマット状に形成した絶縁材からなる上下の外被４１、４２間に複数個の長尺スイッチ４４を平行配置に内装し、各長尺スイッチ４４を渡り配線４３で接続するとともに、外被４１、４２の隅部位置において信号ケーブル４５の一端をその近傍の長尺スイッチ４４に接続して、前記外被４１を介して長尺スイッチ４４に作用する外力により長尺スイッチ４４をオンさせ、このオン信号を図示しない信号監視装置に伝送して不審者の侵入検知等を行なうように構成したものである。
【０００５】
前記マットスイッチ４０を構成する長尺スイッチ４４としては、図９に示すような上下対向配置の一対の長尺の電極板４６、４７を隔離用絶縁材４８を用いて絶縁空間を形成しつつ保持するとともに、これら全体を絶縁外被４９により包囲したものが知られている。
【０００６】
また、図１０に示すように、円筒状の絶縁外被５５内に一対の長尺の感圧導電ゴム５１、５２を絶縁空間を有しつつ同方向に配置するとともに、感圧導電ゴム５１、感圧導電ゴム５２に各々導体線５３、５４を挿通し、これら全体を絶縁外被４９により包囲した長尺スイッチ４４Ａも知られている。
【０００７】
しかし、これらの長尺スイッチ４４又は長尺スイッチ４４Ａを使用したマットスイッチ４０の場合、いずれの場合においても、複数個の長尺スイッチ４４又は長尺スイッチ４４Ａ間を渡り配線４３で接続する必要があることから製造工程が煩雑となり、コスト増を招く。
【０００８】
また、各長尺スイッチ４４又は各長尺スイッチ４４Ａ間の領域は不感知領域となるため、例えば侵入者が保持するステッキの先端部等のような小径物を検知することは困難であった。
【０００９】
このような不都合を無くすために、隣り合う長尺スイッチ４４又は長尺スイッチ４４Ａ間にアクチュエータ板を内蔵する構成も考えられるが、この構成ではマットスイッチ４０の折り畳みが不可能となり、保管、運搬における不便を生じさせる。
【００１０】
図１１、図１２に示すマットスイッチ６０は、例えば四角形のマット状に形成した絶縁材からなる上外被６１、下外被６２と、上外被６１の下面に折曲して連続的に添着した上導体線６３と、下外被６２の上面に折曲して連続的に添着した下導体線６４と、前記上外被６１、下外被６２間に所要個数点在配置した円環状の孔開絶縁体６５と、前記上導体線６３、下導体線６４の末端部に一端を接続した信号ケーブル６６とを具備し、円環状の孔開絶縁体６５により上導体線６３、下導体線６４間の絶縁を保持するように構成したものである。
【００１１】
このマットスイッチ６０の場合、前記上外被６１、下外被６２間に所要個数の孔開絶縁体６５を点在配置する必要があり、構造が複雑化するとともに、孔開絶縁体６５が存在する箇所は不感知領域となってしまう。
【００１２】
図１３、図１４に示すマットスイッチ７０は、例えば四角形のマット状に形成した絶縁材からなる上外被７１、下外被７２と、上外被７１の下面に連続的に添着した上導体箔７３と、下外被７２の上面に連続的に添着した下導体箔７４と、前記上導体箔７３、下導体箔７４間に所要個数点在配置した円環状の孔開絶縁体７５と、前記上導体箔７３、下導体箔７４の隅部に一端を接続した信号ケーブル７６とを具備し、円環状の孔開絶縁体７５により前記上導体箔７３、下導体箔７４間の絶縁を保持するように構成したものである。
【００１３】
このマットスイッチ７０の場合も、前記前記上導体箔７３、下導体箔７４間に所要個数の孔開絶縁体７５を点在配置する必要があり、構造が複雑化するとともに、孔開絶縁体７５が存在する箇所は不感知領域となってしまう。
【００１４】
図１５、図１６に示すマットスイッチ８０は、例えば四角形のマット状に形成した絶縁材からなる上外被８１、下外被８２と、上外被８１の下面に連続的に添着した上導体板８３と、下外被８２の上面に連続的に添着した部分的に凸形状を有する下導体板８４と、前記上導体板８３、下導体板８４間に介在させた円環状の弾性絶縁体８５と、前記上導体板８３、下導体板８４の隅部に一端を接続した信号ケーブル８６とを具備し、前記下導体板８４における前記弾性絶縁体８５の穴部に対応する位置を凸形状として、外力に対するオン動作距離を短くし不感知部の減少による感度向上を図ったものである。
【００１５】
このマットスイッチ８０の場合には、下導体板８４に所要個数の凸形状部分を形成する必要があり、構造が複雑化し、コスト増を招くという問題がある。
【００１６】
特許文献１には、上外被の下面に２本の電極線を所定間隔をもって平行配置するとともに、下外被の上面に通電用電線を所定間隔をもって前記２本の電極線と交差配置に取り付け、踏圧により前記電極線、通電用電線を接触させることで、人等の存在検知を行うとともに、犬、猫等の小動物による踏圧では作動しないように構成したマットスイッチが提案されている。
【００１７】
この特許文献１のマットスイッチの場合も、２本の電極線を所定間隔をもって平行配置した構成であるため、不感知領域が存在することは上述した場合と同様である。
【特許文献１】特開２００２−０６３８２７号公報
【考案の開示】
【考案が解決しようとする課題】
【００１８】
本考案が解決しようとする問題点は、不感知領域が無く、更には渡り配線が不要であり格別の電極板加工も必要無く、全体として簡略安価に構成でき、薄型化や折り畳み構造も実現できるような感圧式マットスイッチが存在しない点である。
【課題を解決するための手段】
【００１９】
本考案に係る感圧式マットスイッチは、マット状に形成した絶縁材からなる上外被及び下外被を具備する外被体と、前記上外被の下面に添着した上電極と、前記下外被の上面に添着した下電極と、前記上電極、下電極間全体に介在させた感圧導電体とを具備し、前記外被体に内装した面状スイッチ体と、を有することを最も主要な特徴とする。
【考案の効果】
【００２０】
請求項１記載の考案によれば、不感知領域が無く、更には渡り配線が不要であり格別の電極板加工も必要無く、全体として簡略安価に構成できる感圧式マットスイッチを提供することができる。
【００２１】
請求項２記載の考案によれば、不感知領域が無く、更には渡り配線が不要であり格別の電極板加工も必要無く、全体として簡略安価に構成でき、更に、薄型化や折り畳み構造も可能な感圧式マットスイッチを提供することができる。
【００２２】
請求項３記載の考案によれば、面状スイッチ体を、導電性金属板からなる下電極と、導電性金属板からなる上電極と、感圧導電ゴムからなる感圧導電体とからなる構成として、不感知領域が無く、更には渡り配線が不要であり格別の電極板加工も必要無く、全体として簡略安価に構成できる感圧式マットスイッチを提供することができる。
【００２３】
請求項４記載の考案によれば、面状スイッチ体を、導電性金属板からなる下電極と、導電性金属板からなる上電極と、感圧導電ゴムからなり、下電極、上電極間に散在配置した複数個の環状の感圧導電体とを具備する構成として、不感知領域が無く、更には渡り配線が不要であり格別の電極板加工も必要無く、全体として簡略安価に構成できる感圧式マットスイッチを提供することができる。
【考案を実施するための最良の形態】
【００２４】
本考案は、不感知領域が無く、更には渡り配線が不要であり格別の電極板加工も必要無く、全体として簡略安価に構成でき、薄型化や折り畳み構造も実現できるような感圧式マットスイッチを提供するという目的を有するものである。
【００２５】
本考案に係る感圧式マットスイッチは、マット状に形成した弾性絶縁材からなる上外被及び下外被を具備する外被体と、前記上外被の下面に添着したフィルム状上電極と、前記下外被の上面に添着したフィルム状下電極と、前記上電極、下電極間全体に介在させた感圧導電ゴムからなる感圧導電体とを具備し、前記外被体に内装した面状スイッチ体とを有し、全体として折り曲げ可能な構成として上記目的を実現した。
【実施例】
【００２６】
以下に、本考案の実施例に係る感圧式マットスイッチについて図面を参照して詳細に説明する。
【００２７】
（実施例１）
本実施例１に係る感圧式マットスイッチ１は、図１、図２に示すように、例えば平面四角形状のマット状に形成した弾性絶縁材からなり、上下対向配置の上外被３及び下外被４を具備する外被体２と、この外被体２に内装した面状スイッチ体５と、この面状スイッチ体５に一端を接続した例えば４線式の信号ケーブル９とを有している。
【００２８】
前記面状スイッチ体５は、図２に示すように、上外被３の下面に添着したフィルム状上電極６と、前記下外被４の上面に添着したフィルム状下電極７と、前記上電極、下電極間全体に介在させた外力が作用したときのみ導電性を呈する感圧導電ゴムからなる平板状の感圧導電体８とを具備している。
【００２９】
前記フィルム状上電極６は、例えばポリエチレンテレフタレート（ＰＥＴ）製の絶縁フィルム６ａの一面にアルミニウム製の導体箔６ｂを蒸着又はラミネートすることで一体化し、絶縁フィルム６ａ側を前記上外被３の下面に添着し、導体箔６ｂ側を下面側に露出することにより形成している。
【００３０】
前記フィルム状下電極７は、例えばポリエチレンテレフタレート（ＰＥＴ）製の絶縁フィルム７ａの一面にアルミニウム製の導体箔７ｂを蒸着又はラミネートすることで一体化し、絶縁フィルム７ａ側を前記下外被４の上面に添着し、導体箔７ｂ側を上面側に露出することにより形成している。
【００３１】
前記信号ケーブル９は、その端部から露出させた導体芯線を前記フィルム状上電極６、フィルム状下電極７の各隅部に接続し、面状スイッチ体５のオン信号を図示しない信号監視装置に伝送するように構成している。
【００３２】
次に、本実施例１に係る感圧式マットスイッチ１の作用、効果について説明する。
【００３３】
この感圧式マットスイッチ１によれば、前記上外被３及び下外被４の間において、その略全体にわたって上外被３の下面に添着したフィルム状上電極６と、前記下外被４の上面に添着したフィルム状下電極７と、前記上電極、下電極間全体に介在させた外力が作用したときのみ導電性を呈する感圧導電ゴムからなる平板状の感圧導電体８とを具備する面状スイッチ体５を内装配置したものである。
【００３４】
したがって、人の踏圧等による外力が作用しない状態においては、前記フィルム状上電極６とフィルム状下電極７とは感圧導電体８によって絶縁性が保たれ、この感圧式マットスイッチ１をオフ状態に維持することができる。
【００３５】
また、人の踏圧等による外力が作用したときには、前記感圧導電体８は導電状態となり、前記フィルム状上電極６、フィルム状下電極７間は導通状態に転じ、これにより不審者の感圧式マットスイッチ１上への侵入を意味するオン信号を前記信号ケーブル９を経て図示しない信号監視装置に伝送することができ、不審者の侵入検知という目的を達成することができる。
【００３６】
また、本実施例１に係る感圧式マットスイッチ１によれば、上述したように、前記上外被３及び下外被４の間の略全体にわたって前記面状スイッチ体５を内装配置したものであるから、従来例のような不感知領域の無い高性能の感圧式マットスイッチ１とすることができる。
【００３７】
更に、本実施例１に係る感圧式マットスイッチ１によれば、前記面状スイッチ体５が前記上外被３及び下外被４内部全体を占める構成であるため、従来の長尺スイッチを使用する場合のような渡り配線が不要であり、かつ、格別の電極板加工も必要の無い簡略安価な感圧式マットスイッチ１とすることができる。
【００３８】
更に、本実施例１に係る感圧式マットスイッチ１によれば、前記面状スイッチ体５は、フィルム状上電極６、フィルム状下電極７及び感圧導電ゴムからなる平板状の感圧導電体８を用いて前記面状スイッチ体５を構成しているので、薄型で折り畳み可能な構成とすることができる感圧式マットスイッチ１とすることができる。
【００３９】
図３は、本実施例１に係る感圧式マットスイッチ１の面状スイッチ体５の変形例である面状スイッチ体５Ａを示すものであり、この面状スイッチ体５Ａは、前記上外被３の下面に添着した導電性金属板からなる上電極１１と、前記下外被４の上面に添着した導電性金属板からなる下電極１２と、前記上電極１１、下電極１２間全体に介在させた感圧導電ゴムからなる感圧導電体１３とを具備し、これらを前記外被体２に内装した構成となっている。
【００４０】
この面状スイッチ体５Ａを使用した感圧式マットスイッチ１の場合には、人の踏圧等による外力が作用しない状態においては、前記上電極１１と下電極１２とは感圧導電体１３によって絶縁性が保たれ、この感圧式マットスイッチ１をオフ状態に維持することができる。
【００４１】
また、人の踏圧等による外力が作用したときには、前記感圧導電体１３は導電状態となり、前記上電極１１、下電極１２間は導通状態に転じ、これにより不審者の感圧式マットスイッチ１上への侵入を意味するオン信号を前記信号ケーブル９を経て図示しない信号監視装置に伝送することができ、不審者の侵入検知という目的を達成することができる。
【００４２】
また、面状スイッチ体５Ａを使用した感圧式マットスイッチ１の場合も、前記上外被３及び下外被４の間の略全体にわたって前記面状スイッチ体５Ａを内装配置したものであるから、従来例のような不感知領域の無い高性能の感圧式マットスイッチ１とすることができる。
【００４３】
更に、この感圧式マットスイッチ１によれば、前記面状スイッチ体５Ａが前記上外被３及び下外被４内部全体を占める構成であるため、従来の長尺スイッチを使用する場合のような渡り配線が不要であり、かつ、格別の電極板加工も必要の無い簡略安価な感圧式マットスイッチ１とすることができる。
【００４４】
（実施例２）
図４、図５を参照して本考案の実施例２に係る感圧式マットスイッチ１Ａについて説明する。
【００４５】
本実施例２に係る感圧式マットスイッチ１Ａは、図４に示すように、例えば平面四角形状のマット状に形成した弾性絶縁材からなり、上下対向配置の上外被３及び下外被４を具備する外被体２４と、この外被体２に内装した面状スイッチ体２５と、この面状スイッチ体２５に一端を接続した例えば４線式の信号ケーブル９とを有している。
【００４６】
前記面状スイッチ体２５は、図５に示すように、前記上外被３の下面に添着した導電性金属板からなる上電極２１と、前記下外被４の上面に添着した導電性金属板からなる下電極２２と、前記上電極２１、下電極２２間に例えば等間隔で散在配置し、接着剤を用いて上下両端面を前記上電極２１、下電極２２に接合固着した感圧導電ゴムからなる複数個（例えば９個）の円環状の感圧導電体２３とを具備し、これらを前記外被体２４に内装した構成としている。
【００４７】
この感圧式マットスイッチ１Ａによれば、前記上外被３及び下外被４の間において、その略全体にわたって上電極２１と、下電極２２と、複数個（例えば９個）の感圧導電体２３とを具備する面状スイッチ体２５を内装配置したものである。
【００４８】
したがって、人の踏圧等による外力が作用しない状態においては、前記上電極２１と、下電極２２とは感圧導電体２３によって絶縁性が保たれ、この感圧式マットスイッチ１Ａをオフ状態に維持することができる。
【００４９】
また、人の踏圧等による外力が作用したときには、前記感圧導電体２３は導電状態となり、前記上電極２１と、下電極２２間は導通状態に転じ、これにより不審者の感圧式マットスイッチ１上への侵入を意味するオン信号を前記信号ケーブル９を経て図示しない信号監視装置に伝送することができ、不審者の侵入検知という目的を達成することができる。
【００５０】
また、本実施例２に係る感圧式マットスイッチ１Ａによれば、上述したように、前記上外被３及び下外被４の間の略全体にわたって前記面状スイッチ体２５を内装配置したものであるから、従来例のような不感知領域の無い高性能の感圧式マットスイッチ１Ａとすることができる。
【００５１】
更に、本実施例２に係る感圧式マットスイッチ１Ａによれば、前記面状スイッチ体２５が前記上外被３及び下外被４内部全体を占める構成であるため、従来の長尺スイッチを使用する場合のような渡り配線が不要であり、かつ、格別の電極板加工も必要の無い簡略安価な感圧式マットスイッチ１Ａとすることができる。
【００５２】
図６は、前記感圧導電体２３の変形例である感圧導電ゴムからなる四角環状の感圧導電体２３Ａを示すものであり、このような感圧導電体２３Ａを前記上電極２１、下電極２２間に等間隔で散在配置し接合固着して面状スイッチ体２５を構成した場合でも、上述した場合と同様な作用、効果を発揮する感圧式マットスイッチ１Ａを提供することができる。
【００５３】
図７は、前記感圧導電体２３の別の変形例である三角柱状を呈する感圧導電体２３Ｂを示すものであり、このような感圧導電体２３Ｂを前記上電極２１、下電極２２間に等間隔で散在配置し接合固着して面状スイッチ体２５を構成した場合でも、上述した場合と同様な作用、効果を発揮する感圧式マットスイッチ１Ａを提供することができる。
【産業上の利用可能性】
【００５４】
本考案の感圧式マットスイッチは、例えば危険地域への進入防止、防犯目的、車両検知、特定エリアの入退室管理等広範な分野に幅広く適用可能である。
【図面の簡単な説明】
【００５５】
【図１】本考案の実施例１に係る感圧式マットスイッチの概略斜視図である。
【図２】本実施例１に係る感圧式マットスイッチの概略部分断面図である。
【図３】本実施例１に係る感圧式マットスイッチの面状スイッチ体の変形例を示す概略部分断面図である。
【図４】本考案の実施例２に係る感圧式マットスイッチの概略斜視図である。
【図５】本実施例２に係る感圧式マットスイッチの概略断面図である。
【図６】本実施例２に係る感圧式マットスイッチにおける感圧導電体の変形例を示す斜視図である。
【図７】本実施例２に係る感圧式マットスイッチにおける感圧導電体の別の変形例を示す斜視図である。
【図８】従来のマットスイッチの第１の例を示す概略斜視図である。
【図９】図８に示すマットスイッチの長尺スイッチを含む部分断面図である。
【図１０】図８に示すマットスイッチにおける長尺スイッチの変形例を示す部分断面図である。
【図１１】従来のマットスイッチの第２の例を示す概略斜視図である。
【図１２】図１１に示すマットスイッチの部分断面図である。
【図１３】従来のマットスイッチの第３の例を示す概略斜視図である。
【図１４】図１３に示すマットスイッチの部分断面図である。
【図１５】従来のマットスイッチの第４の例を示す概略斜視図である。
【図１６】図１５に示すマットスイッチの部分断面図である。
【符号の説明】
【００５６】
１    感圧式マットスイッチ
１Ａ  感圧式マットスイッチ
２    外被体
３    上外被
４    下外被
５    面状スイッチ体
５Ａ  面状スイッチ体
６    フィルム状上電極
６ａ  絶縁フィルム
６ｂ  導体箔
７    フィルム状下電極
７ａ  絶縁フィルム
７ｂ  導体箔
８    感圧導電体
９    信号ケーブル
１１    上電極
１２    下電極
１３    感圧導電体
２１    上電極
２２    下電極
２３    感圧導電体
２３Ａ  感圧導電体
２３Ｂ  感圧導電体
２４    外被体
２５    面状スイッチ体
【図１】
0003142417.tif 000003
【図２】
0003142417.tif 000004
【図３】
0003142417.tif 000005
【図４】
0003142417.tif 000006
【図５】
0003142417.tif 000007
【図６】
0003142417.tif 000008
【図７】
0003142417.tif 000009
【図８】
0003142417.tif 000010
【図９】
0003142417.tif 000011
【図１０】
0003142417.tif 000012
【図１１】
0003142417.tif 000013
【図１２】
0003142417.tif 000014
【図１３】
0003142417.tif 000015
【図１４】
0003142417.tif 000016
【図１５】
0003142417.tif 000017
【図１６】
0003142417.tif 000018